(57)【要約】【課題】主要部をテーブル等の天板下に隠し、部屋の状況やテーブル等に異なった影響を与えないようにして設置して、煙清浄化機能により快適な空間を作り、それをローコスト、短納期で実現できるテーブル併置用分煙機を提供する。【解決手段】吸気口２及び排気口３を有する箱体４に送風機５及び空気清浄機器６を内蔵させ、箱体４に吸気口２に空気を導く導気板７を箱体４と間隔Ｉを所定量開けて設け、導気板７と箱体４との間隔Ｉにテーブル等の天板８を挿入できるようにすることで、テーブル等の天板８に導気板７と箱体４との間隔Ｉを挿入すると、箱体４は天板８下に隠れ、導気板７が天板８上に裸出するから、導気板７をテーブル等に合わせたデザインとすれば良く、送風機５を作動させて導気板７と天板８とのバッフル効果により、周囲の空気と共に煙草の煙を吸気口２内に導き、空気清浄機器６にて清浄化して排気口３から排気し、上記課題を達成する。【選択図】　　図２
2004108748.tif 000002
【特許請求の範囲】
【請求項１】
吸気口及び排気口を有する箱体に送風機及び空気清浄機器を内蔵させ、前記箱体に、前記吸気口に空気を導く導気板を、前記箱体との間隔を所定量開けた状態で設け、該導気板と箱体との間隔にテーブル等の天板を挿入できるようにしたことを特徴とするテーブル併置用分煙機。
【請求項２】
前記吸気口は前記箱体の一側部に位置させ、前記排気口は前記箱体の一側部の反対側部に位置させて、前記導気板は前記吸気口から所定距離を開けて箱体に取り付け、且つ前記吸気口側から前記排気口側に沿って前記間隔を開けた状態で延びるように設けたことを特徴とする請求項１記載のテーブル併置用分煙機。
【請求項３】
前記箱体に取り付ける前記導気板の取付位置を変更可能として、前記導気板と箱体との間隔を変更可能とし、前記テーブル等の前記天板の位置変化に対応出来るようにしたことを特徴とする請求項１又は２記載のテーブル併置用分煙機。
【請求項４】
前記吸気口の排気口側端部に位置した箱体にストッパーを設け、該ストッパーにより前記テーブル等の前記天板に前記導気板と前記箱体との間隔をそれ以上挿入出来ないようにしたことを特徴とする請求項１、２又は３記載のテーブル併置用分煙機。
【請求項５】
前記ストッパーは寸法調整可能とし、前記テーブル等の前記天板の位置変化に対応できるようにしたことを特徴とする請求項１、２、３又は４記載のテーブル併置用分煙機。
【請求項６】
前記排気口に排気拡散板を設けたことを特徴とする請求項１、２、３、４又は５記載のテーブル併置用分煙機。
【請求項７】
前記箱体の一側部がわの前記導気板に取手を取り付けると共に、反対側部に車を取り付け、移動自在としたことを特徴とする請求項１、２、３、４、５又は６記載のテーブル併置用分煙機。
【発明の詳細な説明】
【０００１】
【発明の属する技術分野】
本発明は、すでにあるデスク、テーブル等の天板を活用し、且つこの天板下の未使用空間を有効利用して、テーブル等を原型のまま残したかたちで後付で、空気清浄機能を付加させたテーブル併置用分煙機に関する。
【０００２】
【従来の技術】
現在、煙草の紫煙を清浄化する分煙機は大別して３種類ある。これらは、▲１▼紫煙を直接的に吸引して清浄化するタイプ、▲２▼一定空間をエアーカーテンなどで囲い、紫煙を出さないようにすると共に囲い内で吸引して清浄化するタイプ、▲３▼上記の▲１▼と▲２▼とを組合せたもので、紫煙を直接的に吸引して清浄化し、吸引出来なかった紫煙をエアーカーテンなどによる囲いにより外に出さないようにするタイプ、である。
【０００３】
▲１▼のタイプとしては、図６に示すような分煙機である喫煙カウンターａがあり、部屋の任意箇所に配置され、カウンター本体ｂの側面に排気口ｃを設けると共に上面に吸気口ｄを設け、該吸気口ｄの上方に遮蔽板ｅを支柱ｆにより支持して設け、吸気口ｄと排気口ｃとの間のカウンター本体ｂ内に空気清浄機を設けたものである。この喫煙カウンターａの周辺で人が煙草を吸うと、紫煙は周辺の空気と共に遮蔽板ｅにガイドされ吸気口ｄからカウンター本体ｂ内に入り、空気清浄機器により清浄化されて排気口ｃから外部に排気される。
【０００４】
▲２▼のタイプとしては、図７に示すような分煙機である喫煙ユニット（実開平７−３５９２７号公報参照）がある。この喫煙ユニットａ１は、天井部ｇの周囲に吹出口ｈがあり天井部ｇの中央部に吸気口ｄがあって、吹出口ｈからのエアーカーテンｉにより床ｊ、天井部ｇと相まって喫煙空間Ａをつくり、この喫煙空間Ａ内のエアーを天井部ｇの吸気口ｄにて吸引して喫煙空間Ａ内を一時的に負圧にして、部屋の他の空間に紫煙や悪臭を流出しないようにし、天井部ｇ内にある空気清浄機により清浄化空気として再び吹出口ｈから吹き出し、エアーカーテンｉとして循環させているものである。
【０００５】
▲３▼のタイプとしては、図８に示すような気流制御型分煙機（特開２００１−１７４０１１号公報参照）がある。この気流制御型分煙機ａ２は、機械本体ｍが、箱体ｎの側部にパネルｏを取り付けた形状とし、該パネルｏにこれと共に室内を区分けするためのエアーカーテンｉを形成する吹出口ｈを設け、箱体ｎにエアーカーテンｉにより区分けした一方の喫煙空間Ａに位置させた吸気口ｄを設けて、他方の非喫煙空間Ｂに位置させた排気口ｃをパネルｏに設け、箱体ｎ内に空気清浄機器を設けてなり、排気口ｃからの清浄化空気の排気量を少なくとも非喫煙空間Ｂからの外部巻込エアー量Ｑよりも大となるように設定し、パネルｏ及びエアーカーテンｉにより部屋を区分けした吸気口ｄ側の喫煙空間Ａ内を負圧状態にしたものである。これにより、喫煙空間Ａ内にある機械本体ｍ周辺の紫煙を直ちに吸気口ｄから吸い込み、空気清浄機器により清浄化空気にし、その一部を排気口ｃから外部巻込エアー量Ｑよりも大となるように非喫煙空間Ｂに排気して、喫煙空間Ａ内を負圧状態に保持し、清浄化空気の残りを吹出口ｈから吹き出しエアーカーテンｉとして、吸気口ｄに吸い込まれなかった紫煙も、喫煙空間Ａ内が負圧状態であるから、最終的に吸気口ｄに吸い込まれ空気清浄機により清浄化空気にされ、排気口ｃから非喫煙空間Ｂに排出される。
【０００６】
これらの▲１▼、▲２▼、▲３▼の方法は、いずれも独立して完結した分煙機を部屋に配置して喫煙所を創設するものであるから、どちらかというと分煙機に合わせて、部屋におけるテーブル等のレイアウトや構成を行うものであり、重厚な、華麗なあるいはかろやかな部屋の状況や、由緒あるテーブル等の家具に特に関係なく分煙機を設置し運転するようになる。
【０００７】
【発明が解決しようとする課題】
図６の喫煙カウンターａは、部屋などに配置すれば簡単に紫煙処理機能を有した喫煙所となり、喫煙者と言えども他人の紫煙は出来れば避けたいという願望を満たすことが出来て都合がよい。しかしながら、この喫煙カウンターａを部屋に設置することは、喫煙者が喫煙カウンターａの回りで喫煙をしなければ清浄化の機能を果たすことが出来ず、前述の重厚な、華麗なあるいはかろやかな部屋の状況や、由緒あるテーブル等の家具を生かすことが出来なくなる。すなわち、喫煙カウンターａが一人歩きをして部屋の空間を占拠し、テーブル等の家具を含めた部屋の雰囲気を壊すことになる。
【０００８】
また、図７の喫煙ユニットａ１は、部屋の公共スペースなどに配置すれば、紫煙処理機能を有した喫煙所となり得る点で都合がよい。しかしながら、この喫煙ユニットａ１は、大がかりなものであるから、容易に移動出来ず、部屋を簡易的に紫煙処理機能を有した喫煙所とすることが困難であり、前述の重厚な、華麗なあるいはかろやかな部屋の状況や、由緒あるテーブル等の家具を生かすことも出来ない。加えて、天井部ｇを支持する柱ｋが必要となり、また、天井に吊るすようなタイプにしても、喫煙空間Ａ内を一時的に負圧状態にすることが出来るが、中央部にある吸気口ｄから吸い込んだ空気は、その全量を再び吹出口ｈからのエアーカーテンｉとするから、結局喫煙空間Ａ内を恒常的に負圧状態にすることが出来ず、紫煙が喫煙空間Ａ外に流出する。したがって、この喫煙ユニットａ１は、部屋の状況や由緒あるテーブル等の家具を生かす以前の、集煙効果が期待できず、しかも直接的に紫煙を吸引しないから、喫煙者と言えども他人の紫煙を出来れば避けたいという願望も満たすことが出来ない。
【０００９】
更に、図８の気流制御型分煙機ａ２は、部屋の公共スペースなどに配置すれば簡単に紫煙処理機能を有した喫煙所となり、喫煙者と言えども他人の紫煙は出来れば避けたいという願望を満たし、喫煙者が吸気口ｄから離れて紫煙を吐き出しても、パネルｏ及びエアーカーテンｉにより創設した喫煙空間Ａ内であれば紫煙が漏れず、喫煙マナーに集煙効果を大きく依存せず都合がよい。しかしながら、この気流制御型分煙機ａ２は、部屋の公共スペースの壁際などに設置した場合に、その性能を大きく発揮するものであるから、前述の重厚な、華麗なあるいはかろやかな部屋の状況や、由緒あるテーブル等の家具を生かすことが出来ない。
【００１０】
また、これらの図６から図８の分煙機に共通して言えることは、いずれも独立し完結した機器であるため、重厚な、華麗なあるいはかろやかな部屋の状況や、部屋に置いてある由緒あるテーブル等の家具に、特に関係なく設置するものである。従って、これら分煙機は、上記した部屋や家具が醸し出す独特な雰囲気とは異なった印象を与え、スペースも別に占めることになるから、これら部屋や家具に適合しがたい状況となり、結局これら分煙機は設置されないことになる。分煙機の設置を強行するには、これら部屋や家具に適合した分煙機としなければならず、ハイコスト、長納期となる。
そこで、本発明は、上記事情に鑑みてなされたもので、部屋の状態やテーブル等はそのままで、主要部をテーブル等の天板下に隠し、全体として部屋の状況やテーブル等に異なった影響を与えないようにして、後付け設置出来、その有する煙清浄化機能により快適な空間を維持し、しかもそれをローコスト、短納期で実現できるテーブル併置用分煙機を提供することを課題とする。
【００１１】
【課題を解決するための手段】
上記課題を解決するため、請求項１記載の発明は、吸気口及び排気口を有する箱体に送風機及び空気清浄機器を内蔵させ、前記箱体に、前記吸気口に空気を導く導気板を、前記箱体との間隔を所定量開けた状態で設け、該導気板と箱体との間隔にテーブル等の天板を挿入できるようにしたことを特徴とする。したがって、この特徴によれば、テーブル等の天板に導気板と箱体との間隔を挿入すると、主要部の箱体は天板下に位置して隠れ、主に導気板が天板上に裸出するから、この導気板をテーブル等に合わせたデザインとすれば良く、送風機を作動させて導気板と天板とによるバッフル効果により、周囲の空気と共に煙草の紫煙を吸気口内に導き、空気清浄機器にて清浄化して、排気口から排気する。
【００１２】
請求項２記載の発明は、前記吸気口は前記箱体の一側部に位置させ、前記排気口は前記箱体の一側部の反対側部に位置させて、前記導気板は前記吸気口から所定距離を開けて箱体に取り付け、前記吸気口側から前記排気口側に沿って前記間隔を開けた状態で、延びるように設けたことを特徴とする。したがって、この特徴によれば、テーブル等の天板に導気板と箱体との間隔を挿入すると、箱体の吸気口が天板縁の下に位置し、排気口が天板縁の下から最深に位置して、導気板により天板上を漂う煙草の紫煙を天板縁の下にある吸気口に導き、空気清浄機器にて清浄化して、最深部にある排気口から排気する。
【００１３】
請求項３記載の発明は、前記箱体に取り付ける前記導気板の取付位置を変更可能として、前記導気板と箱体との間隔を変更可能とし、前記テーブル等の前記天板の位置変化に対応出来るようにしたことを特徴とする。したがって、この特徴によれば、テーブル等の天板の位置変化があると、箱体に取り付ける導気板の取付位置を変更して、導気板と箱体との間隔を変更し、天板に導気板と箱体との間隔を挿入し得る。
【００１４】
請求項４記載の発明は、前記吸気口の排気口側端部に位置した箱体にストッパーを設け、該ストッパーにより前記テーブル等の前記天板に前記導気板と前記箱体との間隔をそれ以上挿入出来ないようにしたことを特徴とする。したがって、この特徴によれば、ストッパーによりテーブル等の天板に導気板と箱体との間隔をそれ以上挿入出来ないから、天板により吸気口を塞ぐことがない。
【００１５】
請求項５記載の発明は、前記ストッパーは寸法調整可能とし、前記テーブル等の前記天板の位置変化に対応できるようにしたことを特徴とする。したがって、この特徴によれば、天板の位置変化に対して、ストッパーの寸法を調整することで、ストッパーが天板に当たるようにして対応する。
【００１６】
請求項６記載の発明は、前記排気口に排気拡散板を設けたことを特徴とする。したがって、この特徴によれば、排気口から吐き出された清浄化空気は排気拡散板により拡散され、単位面積当たりの風速・風量を減衰し、その直接的な影響を減らす。
【００１７】
請求項７記載の発明は、前記箱体の一側部がわの前記導気板に取手を取り付けると共に、反対側部に車を取り付け、移動自在としたことを特徴とする。したがって、この特徴によれば、取手にてわずかに持ち上げれば、反対側部の車により移動できる。
【００１８】
【発明の実施の形態】
以下、本発明の実施の形態を図１〜５に基づいて詳述する。
図１は本発明の実施の形態であるテーブル併置用分煙機の斜視図、図２はこのテーブル併置用分煙機の断面図、図３はこのテーブル併置用分煙機の平面図、図４はこのテーブル併置用分煙機の正面図である。図面において、このテーブル併置用分煙機１は、吸気口２及び排気口３を有する箱体４に送風機５及び空気清浄機器６を内蔵させ、この箱体４に吸気口２に空気と共に煙草の煙を導く導気板７を箱体４との間隔Ｉを所定量開けた状態で設け、この導気板７と箱体４との間隔Ｉにテーブル等の天板８を挿入できるようにしたものである．
【００１９】
前記箱体４は、直方体をなし、一側部４ａに前記吸気口２を、この一側部４ａの反対側部４ｂに前記排気口３をそれぞれ設けてあり、中間に設けた仕切板１０により、吸気口２側をクリーン室１１、排気口３側をファン室１２とし、これらは仕切板１０に設けた開口１３により連通している。そして、この吸気口２を囲うようにして吸気ボックス１４が設けられ、この吸気ボックス１４にはその開口１５を覆うようにネット１６が張られている。このネット１６の上部は屋根状傾斜１６ａが付けられ、ネット１６上に落ちた物がいずれかの側に落下するようになって、吸気に支障が生じないようにしている。なお、屋根状傾斜１６ａ内部の下方に屋根状カバーを設けて、飲み物などの液体がこぼれても吸気ボックス１４内に入らないようにしても良い。一方、排気口３前方には所定の間隔を置いて排気拡散板１７が設けられている。この排気拡散板１７は複数本のバー１８により箱体４の反対側部４ｂに取り付けられている。したがって、排気口３から直進した清浄化空気は直ちに排気拡散板１７に当たり、四方に拡散排気され平均化されて、その影響を低減することができる。
【００２０】
前記導気板７は、Ｌ字状をなし、吸気口２から所定距離を開けて箱体４に取り付け、吸気口２側から排気口３側に沿って前記間隔Ｉを開けた状態で、延びるように設けている。すなわち、導気板７は、箱体４に取り付けた吸気ボックス１４の側板に取り付けられ、上部が湾曲して箱体４の天面４ｃに所定量の間隔Ｉを開けている。したがって、テーブル等の天板８に導気板７と箱体４との間隔Ｉを挿入すると、箱体４の吸気口２が天板８縁の下に位置させ得、排気口３が天板８縁の下から最深に位置するから、箱体４はほぼ天板８下に隠れ、実質的に導気板７のみが見えることになる。一方、導気板７により天板８上を漂う煙草の紫煙を天板８縁の下にある吸気口２に導き、前記空気清浄機器６にて清浄化して、天板８下の最深部に位置する排気口３から排気することができる。
【００２１】
そして、この導気板７は箱体４に取り付ける位置を変更可能として、導気板７と箱体４の天面４ｃとの間隔Ｉを変更可能とし、前記テーブル等の天板８の位置変化に対応出来るようにしている。すなわち、これは、例えば、吸気ボックス１４の側板に垂直方向に複数のネジ孔を螺設しておき、適切なネジ孔を選択して、導気板７をボルトにて螺着することにより、簡単に実現できる。したがって、テーブル等の天板８の位置変化があっても、箱体４に取り付ける導気板７の取付位置を変更して、導気板７と箱体４との間隔Ｉを変更すれば、天板８に導気板７と箱体４との間隔Ｉを挿入し得る。ただし、天板８の位置変化が箱体４の高さより低い場合には、箱体４の高さを変えない限り対応することが出来ない。
【００２２】
また、前記箱体４には、その吸気口２の排気口３側端部の天面４ｃにストッパー２０が設けられている。このストッパー２０は丸棒をコ字状に曲げた形状をなして、これによりテーブル等の天板８が当たり、導気板７と箱体４との間隔Ｉをそれ以上挿入することがない。したがって、このストッパー２０によりテーブル等の天板８に導気板７と箱体４との間隔Ｉをそれ以上挿入出来ないから、吸気口２を天板８により塞ぎ、天板８上を漂う煙草の紫煙を吸気口２に導くのを阻害することがない。そして、この場合も、天板８の位置変化に対応可能としている。すなわち、ストッパー２０を寸法調整可能とし、これは、例えば、箱体４の天面４ｃに差込穴を開け、寸法の異なるストッパー２０を複数用意することで、簡単に実現できる。このため、天板８の位置変化に対して、適切寸法のストッパー２０を選択して差込穴に差し込み、寸法を調整することで、ストッパー２０が必ず天板８に当たるようにすることができる。
【００２３】
なお、前記のテーブル併置用分煙機１は、図１、２に示すように、前記箱体４の一側部４ａ側の前記導気板７に取手２１を取り付けると共に、反対側部４ｂに車２２を取り付けている。これにより、取手２１にてわずかに持ち上げれば、反対側部４ｂの車２２により、テーブル併置用分煙機１を自在且つ容易に移動できる。
【００２４】
前記クリーン室１１内には前記空気清浄機器６が収納されるが、この空気清浄機器６は、ある一定の清浄性能をクリアーするものであれば特に限定がないが、この実施形態では、吸気口２の直後に取り付けられ煙草の紫煙中の粉塵を粗取りするプレフィルタ２３と、このプレフィルタ２３を通過した粉塵及び臭気成分の一部を除去する電気集塵機２４と、この電気集塵機２４を通過した臭気物質を主に除去する脱臭フィルタ２５と、を含んでいる。一方、ファン室１２内に設けられた送風機５は、吸引口２から紫煙を空気と共に吸引し、空気清浄機器６を通し清浄化空気を排気口３から排出させるものである。なお、電気集塵機２４の代わりに、脱臭機能を併せ持つ高性能なメカニカルフィルターを用いてもよい。また、送風機５も必要な容量及び圧力の条件が満たせば特に限定されない。
【００２５】
そして、クリーン室１１内に収納された空気清浄機器６は、使用により紫煙中の粉塵、臭気成分が付着したり吸着したりして、これらの除去性能が徐々に低下するから、ある時点で必ずメンテナンスをしてこれらの除去性能を回復しなければならない。それにはクリーン室１１内から空気清浄機器６を一旦取り外して、洗浄したり交換したりする必要がある。したがって、この空気清浄機器６はクリーン室１１から一括してあるいは個々の機器ごとに取り外して、洗浄したり交換したりすることが出来るようになっている。すなわち、取り外したあと、予備のプレフィルタ２３及び電気集塵機２４の集塵エレメント並びに新品の脱臭フィルタ２５を装着し、取り外したプレフィルタ２３及び電気集塵機２４の集塵エレメントは洗浄し再使用し、脱臭フィルタ２５は再生不可であるから廃棄する。
【００２６】
次に、上記構成になるテーブル併置用分煙機１の利用方法について詳述する。まず、テーブル併置用分煙機１を併置する部屋のテーブル等にマッチする導気板７を設定し、且つテーブル等の天板８の高さを測定あるいは想定して、これに対応できる導気板７とストッパー２０とを選択する。これら導気板７及びストッパー２０の位置調整をしたあと、取手２１にてわずかに持ち上げ、反対側部４ｂの車２２を利用して、テーブル併置用分煙機１を移動し、テーブル等の天板８に後付で併設する。すなわち、テーブル等の天板８に導気板７と箱体４との間隔Ｉを挿入して行き、ストッパー２０に天板８が当たるまで挿入する。この状態になると、箱体４の吸気口２が天板８縁の下に位置し、排気口３が天板８縁の下から最深に位置することになり、箱体４はほぼ天板８下に隠れ、実質的に導気板７のみが見えることになる。導気板７は、予め部屋やテーブル等の雰囲気にマッチさせているから、違和感がなく、しかも所謂分煙機の存在をも感じさせない。更に、箱体４は天板８下の未利用のスペースを占有することになるから、部屋の利用スペースを狭めることがない（図５参照）。なお、図５中、２６は椅子である。
【００２７】
この状態でテーブル併置用分煙機１を作動させれば、天板８上を漂う煙草の紫煙は、導気板７と天板８とによるバッフル効果により、周辺の空気と共に広い範囲にわたり直ちに導かれて、天板８縁の下にあるネット１６を通り開口１５から吸気ボックス１４内に入り、更に吸気口２からクリーン室１１内に吸引され、前記空気清浄機器６にて清浄化されて、仕切板１０の開口１３からファン室１２に入り、天板８下の最深部に位置する排気口３から排気され排気拡散板１７に当たり、四方に拡散され平均化されて、その影響が低減される。また、灰皿２７を導気板７近傍に置けば、灰皿２７に置いた煙草から立ちのぼる紫煙は部屋に拡散することなく、導気板７に導かれ吸気口２からクリーン室１１内に吸引され、空気清浄機器６にて清浄化される。更に、誤ってネット１６上に物を落しても屋根状傾斜１６ａによりいずれかの側に落下し、吸気に支障が生じことはない。そして、ネット１６の屋根状傾斜１６ａ内部の下方に屋根状カバーを設けてあれば、液体がこぼれても吸気ボックス１４内に入ることもない。
【００２８】
図６は本発明の他の実施の形態であるテーブル併置用分煙機を示すもので、このテーブル併置用分煙機１ａと図１乃至４に示す実施形態との相違点は、吸気ボックス１４ａの上面を一部斜面とし、そこに吸気口２ａを設け、更に、箱体４の長側面４ｄに排気ボックス２８を設け、この排気ボックス２８に排気口３ａを４面に分散して設けて排気拡散板１７の役割を果たした点にある。そして、天板８上を漂う煙草の紫煙は、導気板７と天板８とによるバッフル効果により、周辺の空気と共に広い範囲にわたり直ちに導かれて、導気板７上部の湾曲部により巻き込まれ、斜面となっている吸気口２ａから直接クリーン室１１内に吸引され、前記空気清浄機器６にて清浄化されて、排気ボックス２８の４面に設けられた排気口３ａから四方に排気され平均化されて、その影響が低減されるものである。その他の構成・作用は図１乃至４に示す実施形態とほぼ同様なので、その説明を省略する。
【００２９】
以上、本発明の実施形態を説明したが、具体的な構成はこれに限定されず、本発明の要旨を逸脱しない範囲内での変更、追加は本発明の範囲内である。
【００３０】
【発明の効果】
以上詳述したように、本発明によれば、以下のような効果がある。
請求項１の発明のテーブル併置用分煙機は、テーブル等の天板に導気板と箱体との間隔を挿入すると、主要部の箱体は天板下に位置して隠れ、主に導気板が天板上に裸出するから、この導気板をテーブル等に合わせたデザインとすれば良く、送風機を作動させて導気板と天板とのバッフル効果により、周囲の空気と共に煙草の紫煙を直ちに吸気口内に導き、空気清浄機器にて清浄化して、排気口から排気する。したがって、部屋の状況やテーブル等はそのままで、主要部をテーブル等の天板下に隠し、全体として部屋の状況やテーブル等に異なった影響を与えないようにして後付で設置でき、その有する煙清浄化機能により快適な空間を維持し、しかもそれをローコスト、短納期で実現できる効果がある。
【００３１】
請求項２の発明のテーブル併置用分煙機は、テーブル等の天板に導気板と箱体との間隔を挿入すると、箱体の吸気口が天板縁の下に位置し、排気口が天板縁の下から最深に位置して、導気板により天板上を漂う煙草の紫煙を天板縁の下にある吸気口に導き、空気清浄機器にて清浄化して、最深部にある排気口から排気する。したがって、箱体の吸気口が必ず天板縁の下に位置し、排気口が必ず天板縁の下から最深に位置するから、上記効果がなお一層顕著になる。
【００３２】
請求項３の発明のテーブル併置用分煙機は、テーブル等の天板の位置変化があると、箱体に取り付ける導気板の取付位置を変更して、導気板と箱体との間隔を変更し、天板に導気板と箱体との間隔を挿入し得る。したがって、上記効果に加えて、天板の位置変化があっても対応できその利用範囲を広げることができる。
【００３３】
請求項４の発明のテーブル併置用分煙機は、ストッパーによりテーブル等の天板に導気板と箱体との間隔をそれ以上挿入出来ないから、天板により吸気口を塞ぐことがない。したがって、上記効果に加えて、セット時も使用中もいずれの場合でも天板により吸気口を塞ぐことがなく、常時安定して煙草の紫煙を吸引清浄化することが出来る。
【００３４】
請求項５の発明のテーブル併置用分煙機は、天板の位置変化に対して、ストッパーの寸法を調整することで、ストッパーが天板に当たるようにして対応する。したがって、上記効果に加えて、天板の位置変化があっても、セット時、使用中いずれの場合でも天板により吸気口を塞ぐことがないように出来て、常時安定して煙草の紫煙を吸引清浄化することが出来る。
【００３５】
請求項６の発明のテーブル併置用分煙機は、排気口から吐き出された清浄化空気は排気拡散板により拡散され、単位面積当たりの風速・風量を減衰し、その直接的な影響を減らす。したがって、上記効果に加えて、排気口からの清浄化空気による悪影響を減らすことが出来る。
【００３６】
請求項７の発明のテーブル併置用分煙機は、取手にてわずかに持ち上げれば、反対側部の車により移動できる。したがって、上記効果に加えて、わずかな装備により、極めて容易に移動ができる。
【図面の簡単な説明】
【図１】本発明の実施の形態であるテーブル併置用分煙機の斜視図。
【図２】テーブル併置用分煙機の断面図。
【図３】テーブル併置用分煙機の平面図。
【図４】テーブル併置用分煙機の正面図。
【図５】テーブル併置用分煙機の使用状態を示す平面図。
【図６】本発明の他の実施の形態であるテーブル併置用分煙機の斜視図。
【図７】従来例を示す斜視図。
【図８】従来例を示す斜視図。
【図９】従来例を示す側面図。
【符号の説明】
１、１ａ　　　　　　　　テーブル併置用分煙機
２、２ａ、ｄ　　　　　　吸気口
３、３ａ、ｃ　　　　　　排気口
４、ｎ　　　　　　　　　箱体
４ａ　　　　　　　　　　一側部
４ｂ　　　　　　　　　　反対側部
４ｃ　　　　　　　　　　天面
４ｄ　　　　　　　　　　長側面
５　　　　　　　　　　　送風機
６　　　　　　　　　　　空気清浄機器
７　　　　　　　　　　　導気板
８　　　　　　　　　　　天板
１０　　　　　　　　　　仕切板
１１　　　　　　　　　　クリーン室
１２　　　　　　　　　　ファン室
１３、１５　　　　　　　開口
１４、１４ａ　　　　　　吸気ボックス
１６　　　　　　　　　　ネット
１６ａ　　　　　　　　　屋根状傾斜
１７　　　　　　　　　　排気拡散板
１８　　　　　　　　　　バー
２０　　　　　　　　　　ストッパー
２１　　　　　　　　　　取手
２２　　　　　　　　　　車
２３　　　　　　　　　　プレフィルター
２４　　　　　　　　　　電気集塵機
２５　　　　　　　　　　脱臭フィルター
２６　　　　　　　　　　椅子
２７　　　　　　　　　　灰皿
２８　　　　　　　　　　排気ボックス
Ａ　　　　　　　　　　　喫煙空間
ａ　　　　　　　　　　　喫煙カウンター
ａ１　　　　　　　　　　喫煙ユニット
ａ２　　　　　　　　　　気流制御型分煙機
Ｂ　　　　　　　　　　　非喫煙空間
ｂ　　　　　　　　　　　カウンター本体
ｅ　　　　　　　　　　　遮蔽板
ｆ　　　　　　　　　　　支柱
ｇ　　　　　　　　　　　天井部
ｈ　　　　　　　　　　　吹出口
Ｉ　　　　　　　　　　　間隔
ｉ　　　　　　　　　　　エアーカーテン
ｊ　　　　　　　　　　　床
ｋ　　　　　　　　　　　柱
ｍ　　　　　　　　　　　機械本体
ｏ　　　　　　　　　　　パネル
Ｑ　　　　　　　　　　　外部巻込エアー量
【図１】
2004108748.tif 000003
【図２】
2004108748.tif 000004
【図３】
2004108748.tif 000005
【図４】
2004108748.tif 000006
【図５】
2004108748.tif 000007
【図６】
2004108748.tif 000008
【図７】
2004108748.tif 000009
【図８】
2004108748.tif 000010
【図９】
2004108748.tif 000011